(57)【要約】【課題】  全物体距離にわたり、色収差をはじめとする諸収差を良好に補正した高い光学性能を有する光学系および撮像装置を得ること。【解決手段】  本発明に係る光学系ＯＬは、正の屈折力を有する第１レンズ群Ｌ１と、前記第１レンズ群Ｌ１の像側に配置され且つ正の屈折力を有する第２レンズ群Ｌ２を有する。第２レンズ群Ｌ２は無限遠から近距離物体への合焦に際して移動する。第２レンズ群Ｌ２は、物体側から像側へ順に配置された、第１正レンズＬｐ１、開口絞りＳＰ、第２正レンズＬｐ２を有する。第１正レンズＬｐ１および第２正レンズＬｐ２の異常部分分散性を定めたことを特徴とする。【選択図】  図１
2020008628.tif 000002
【特許請求の範囲】
【請求項１】
正の屈折力を有する第１レンズ群と、前記第１レンズ群の像側に配置され且つ正の屈折力を有する第２レンズ群を有し、合焦に際して隣り合うレンズ群の間隔が変化する光学系であって、
無限遠から近距離物体への合焦に際して前記第２レンズ群が物体側に移動し、
前記第２レンズ群は、物体側から像側へ順に配置された、第１正レンズ、開口絞り、第２正レンズを有し、
材料の異常部分分散性ΔθｇＦを、材料のアッベ数νｄ、材料の部分分散比θｇＦを用いて、
ΔθｇＦ＝θｇＦ−（−１．６６５×１０−７×νｄ３＋５．２１３×１０−５×νｄ２−５．６５６×１０−３×νｄ＋７．２７８×１０−１）
と表し、
前記第１正レンズの材料の異常部分分散性をΔθｇＦ１、前記第２正レンズの材料の異常部分分散性をΔθｇＦ２とするとき、
０．００５０＜ΔθｇＦ１＜０．４０
０．００５０＜ΔθｇＦ２＜０．４０
なる条件式を満たすことを特徴とする光学系。
【請求項２】
前記第１正レンズの像側のレンズ面と前記開口絞りとの光軸上の距離をＤＬ１、前記第２正レンズの物体側のレンズ面と前記開口絞りとの光軸上の距離をＤＬ２とするとき、
０．５０＜ＤＬ１／ＤＬ２＜３．００
なる条件式を満たすことを特徴とする請求項１に記載の光学系。
【請求項３】
前記第１正レンズの材料のｄ線における屈折率をｎｄ１とするとき、
１．８０＜ｎｄ１＜２．４０
なる条件式を満たすことを特徴とする請求項１又は２に記載の光学系。
【請求項４】
前記第１正レンズを通過するときの瞳近軸光線の高さをｈ１＾、前記第２正レンズを通過するときの瞳近軸光線の高さをｈ２＾とするとき、
−５．００＜ｈ１＾／ｈ２＾＜−０．５０
なる条件式を満たすことを特徴とする請求項１乃至３のいずれか１項に記載の光学系。
【請求項５】
前記第１正レンズを通過するときの近軸軸上光線の高さをｈ１、前記第２正レンズを通過するときの近軸軸上光線の高さをｈ２、前記第１正レンズを通過するときの瞳近軸光線の高さをｈ１＾、前記第２正レンズを通過するときの瞳近軸光線の高さをｈ２＾、前記第１正レンズの材料のアッベ数をνｄ１、前記第２正レンズの材料のアッベ数をνｄ２、前記第１正レンズの焦点距離をｆｐ１、前記第２正レンズの焦点距離をｆｐ２とするとき、
−２０．０＜（ｈ１×ｈ１＾／νｄ１／ｆｐ１×ΔθｇＦ１）／（ｈ２×ｈ２＾／νｄ２／ｆｐ２×ΔθｇＦ２）＜−０．１０
なる条件式を満たすことを特徴とする請求項１乃至４のいずれか１項に記載の光学系。
【請求項６】
前記第１正レンズの材料のアッベ数をνｄ１とするとき、
０．００＜νｄ１＜３０．０
なる条件式を満たすことを特徴とする請求項１乃至５のいずれか１項に記載の光学系。
【請求項７】
前記第２正レンズの材料のアッベ数をνｄ２とするとき、
０．００＜νｄ２＜３０．０
なる条件式を満たすことを特徴とする請求項１乃至６のいずれか１項に記載の光学系。
【請求項８】
前記第１正レンズの像側のレンズ面と前記開口絞りとの光軸上の距離をＤＬ１、前記光学系の焦点距離をｆとするとき、
０．００＜ＤＬ１／ｆ＜１．００
なる条件式を満たすことを特徴とする請求項１乃至７のいずれか１項に記載の光学系。
【請求項９】
前記第２正レンズの物体側のレンズ面と前記開口絞りとの光軸上の距離をＤＬ２、前記光学系の焦点距離をｆとするとき、
０．００＜ＤＬ２／ｆ＜１．００
なる条件式を満たすことを特徴とする請求項１乃至８のいずれか１項に記載の光学系。
【請求項１０】
前記第１正レンズの像側のレンズ面と前記開口絞りとの光軸上の距離をＤＬ１、前記第２レンズ群の最も物体側のレンズ面から最も像側のレンズ面までの光軸上の距離をＤ２とするとき、
０．００＜ＤＬ１／Ｄ２＜０．８０
なる条件式を満たすことを特徴とする請求項１乃至９のいずれか１項に記載の光学系。
【請求項１１】
前記第２正レンズの物体側のレンズ面と前記開口絞りとの光軸上の距離をＤＬ２、前記第２レンズ群の最も物体側のレンズ面から最も像側のレンズ面までの光軸上の距離をＤ２とするとき、
０．００＜ＤＬ２／Ｄ２＜０．８０
なる条件式を満たすことを特徴とする請求項１乃至１０のいずれか１項に記載の光学系。
【請求項１２】
前記第１正レンズの焦点距離をｆｐ１、前記第２レンズ群の焦点距離をｆ２とするとき、
０．５０＜ｆｐ１／ｆ２＜５．００
なる条件式を満たすことを特徴とする請求項１乃至１１のいずれか１項に記載の光学系。
【請求項１３】
前記第２正レンズの焦点距離をｆｐ２、前記第２レンズ群の焦点距離をｆ２とするとき、
０．５０＜ｆｐ２／ｆ２＜１０．０
なる条件式を満たすことを特徴とする請求項１乃至１２のいずれか１項に記載の光学系。
【請求項１４】
前記第１レンズ群の焦点距離をｆ１、前記光学系の焦点距離をｆとするとき、
１．５０＜ｆ１／ｆ＜４５．０
なる条件式を満たすことを特徴とする請求項１乃至１３のいずれか１項に記載の光学系。
【請求項１５】
前記第２レンズ群の焦点距離をｆ２、前記光学系の焦点距離をｆとするとき、
０．５０＜ｆ２／ｆ＜１．５０
なる条件式を満たすことを特徴とする請求項１乃至１４のいずれか１項に記載の光学系。
【請求項１６】
前記光学系を構成する複数のレンズ群は、物体側から像側へ順に配置された、前記第１レンズ群、前記第２レンズ群、正又は負の屈折力の第３レンズ群からなることを特徴とする請求項１乃至１５のいずれか１項に記載の光学系。
【請求項１７】
前記第３レンズ群の焦点距離をｆ３、前記光学系の焦点距離をｆとするとき、
２．００＜｜ｆ３｜／ｆ＜３５．０
なる条件式を満たすことを特徴とする請求項１６に記載の光学系。
【請求項１８】
前記光学系を構成する複数のレンズ群は、物体側から像側へ順に配置された、前記第１レンズ群、前記第２レンズ群からなることを特徴とする請求項１乃至１５のいずれか１項に記載の光学系。
【請求項１９】
前記光学系の無限遠合焦時の開口比をＦｎｏとするとき、
０．５０＜Ｆｎｏ＜２．５０
なる条件式を満たすことを特徴とする請求項１乃至１８のいずれか１項に記載の光学系。
【請求項２０】
前記第２レンズ群は、負レンズを有することを特徴とする請求項１乃至１９のいずれか１項に記載の光学系。
【請求項２１】
請求項１乃至２０のいずれか１項に記載の光学系と、該光学系によって形成される像を受光する受光素子を有することを特徴とする撮像装置。
【発明の詳細な説明】
【技術分野】
【０００１】
本発明は、光学系および撮像装置に関する。
【背景技術】
【０００２】
デジタルカメラやフィルムカメラ等の撮像装置に用いられる撮影光学系として、Ｆナンバーが小さく（明るく）、小型で、かつ高い光学性能が要求されている。
【０００３】
一般に、撮影光学系の全長を短縮するほど、各レンズの屈折力が強くなることにより、軸上色収差および倍率色収差等の色収差が増加し、光学性能が低下しやすい。さらに、Ｆナンバーが小さいほど、被写界深度が浅いため、諸収差が画質に与える影響が大きい。
【０００４】
大口径比の光学系では、光束を収斂させるために物体側に比較的強い正の屈折力のレンズ群が配置されることが多い。しかし、当該レンズ群における近軸軸上光束の通過位置が高いため、大口径比の光学系では軸上色収差が発生しやすくなる。
【０００５】
特許文献１は、正の屈折力の第１レンズ群、正の屈折力の第２レンズ群、正の屈折力の第３レンズ群からなり、異常部分分散性を有する材料からなるレンズが比較的物体側に配置された光学系を開示している。
【先行技術文献】
【特許文献】
【０００６】
【特許文献１】特開２０１６−２１２３４６号公報
【発明の概要】
【発明が解決しようとする課題】
【０００７】
色収差補正に効果的な異常部分分散性を有する材料は、配置位置によっては倍率色収差も補正できる。しかし、特許文献１のように、正の屈折力が強い位置に異常部分分散性を有する材料からなるレンズを用いると、倍率色収差が過補正になりやすくなる。
【０００８】
そこで、本発明は、全物体距離にわたり、色収差をはじめとする諸収差を良好に補正し、高い光学性能を有する光学系及び撮像装置を得ることを目的とする。
【課題を解決するための手段】
【０００９】
本発明の一実施例に係る光学系は、正の屈折力を有する第１レンズ群と、前記第１レンズ群の像側に配置され且つ正の屈折力を有する第２レンズ群を有し、合焦に際して隣り合うレンズ群の間隔が変化する光学系であって、無限遠から近距離物体への合焦に際して前記第２レンズ群が物体側に移動し、前記第２レンズ群は、物体側から像側へ順に配置された、第１正レンズ、開口絞り、第２正レンズを有し、材料の異常部分分散性ΔθｇＦを、材料のアッベ数νｄ、材料の部分分散比θｇＦを用いて、
ΔθｇＦ＝θｇＦ−（−１．６６５×１０−７×νｄ３＋５．２１３×１０−５×νｄ２−５．６５６×１０−３×νｄ＋７．２７８×１０−１）
と表し、前記第１正レンズの材料の異常部分分散性をΔθｇＦ１、前記第２正レンズの材料の異常部分分散性をΔθｇＦ２とするとき、
０．００５０＜ΔθｇＦ１＜０．４０
０．００５０＜ΔθｇＦ２＜０．４０
なる条件式を満たすことを特徴とする。
【発明の効果】
【００１０】
本発明によれば、全物体距離にわたり、色収差をはじめとする諸収差を良好に補正した高い光学性能を有する光学系および撮像装置が得られる。
【図面の簡単な説明】
【００１１】
【図１】実施例１の光学系の断面図である。
【図２】実施例１の光学系の縦収差図である。
【図３】実施例２の光学系の断面図である。
【図４】実施例２の光学系の縦収差図である。
【図５】実施例３の光学系の断面図である。
【図６】実施例３の光学系の縦収差図である。
【図７】実施例４の光学系の断面図である。
【図８】実施例４の光学系の縦収差図である。
【図９】実施例５の光学系の断面図である。
【図１０】実施例５の光学系の縦収差図である。
【図１１】実施例６の光学系の断面図である。
【図１２】実施例６の光学系の縦収差図である。
【図１３】本発明の撮像装置の構成を示す図である。
【発明を実施するための形態】
【００１２】
以下、本発明の実施例に係る光学系及び撮像装置について、添付の図面に基づいて詳細に説明する。
【００１３】
なお、本明細書において、「バックフォーカス」は、光学系の最終面（最も像側のレンズ面）から近軸像面までの光軸上の距離を空気換算長により表記したものとする。「レンズ全長」は、光学系の最前面（最も物体側のレンズ面）から最終面までの光軸上の距離にバックフォーカスを加えた長さである。「レンズ群」は、複数のレンズから構成される場合に限らず、１枚のレンズから構成される場合も含むものとする。また、軸上色収差と倍率色収差を区別せずに「色収差」と記載した場合は、軸上色収差と倍率色収差の両方を含むものとする。
【００１４】
各実施例の光学系は、デジタルビデオカメラ、デジタルカメラ、銀塩フィルムカメラ、テレビカメラ等の撮像装置に用いられる撮影光学系である。図１、３、５、７、９、１１に示す光学系の断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。無限遠から至近距離物体への合焦に際して、フォーカスレンズ群は、図中の矢印に示すように移動する。これにより、隣り合うレンズ群の間隔が変化する
デジタルビデオカメラやデジタルカメラなどに各実施例の光学系を使用する場合は、像面ＩＰは、ＣＣＤセンサまたはＣＭＯＳセンサ等の撮像素子（光電変換素子）に相当する。銀塩フィルムカメラに各実施例の光学系を使用する場合は、像面ＩＰはフィルム面に相当する。
【００１５】
図２、４、６、８、１０、１２は、後述の各実施例の光学系の収差図である。球面収差図において、実線はｄ線（波長５８７．６ｎｍ）、破線はＦ線（波長４８６．１ｎｍ）、一点鎖線はＣ線（波長６５６．３ｎｍ）、二点鎖線はｇ線（波長４３５．８ｎｍ）を示している。非点収差図において破線△Ｍはメリディオナル像面、実線△Ｓはサジタル像面である。歪曲収差はｄ線について示している。倍率色収差はＦ線、Ｃ線、ｇ線について示している。ωは半画角（度）、ＦｎｏはＦナンバーである。
【００１６】
本発明の光学系は、正の屈折力を有する第１レンズ群と、第１レンズ群の像側に配置され且つ正の屈折力を有する第２レンズ群を有し、合焦に際して隣り合うレンズ群の間隔が変化する光学系である。無限遠から近距離物体への合焦に際して第２レンズ群が物体側に移動する。
【００１７】
このような構成を有する大口径比の光学系において、軸上色収差および倍率色収差を補正するためには、近軸軸上光線の通過位置が高い位置に異常部分分散性を有する材料からなる正レンズを配置することが好ましい。一方で、開口絞りよりも物体側に当該第１正レンズを配置すると、軸上色収差を良好に補正できても、倍率色収差については過補正になることが多い。さらに、大口径比の光学系の場合、無限遠から近距離への合焦に際して色収差変動が生じやすくなる。
【００１８】
そこで、本発明の光学系は、開口絞りの物体側に異常部分分散性を有する材料からなる正レンズ（以下、第１正レンズという）を配置することに加えて、開口絞りの像側にも異常部分分散性を有する材料からなる正レンズ（以下、第２正レンズという）を配置している。すなわち、物体側から像側へ順に配置された、第１正レンズ、開口絞り、第２正レンズを有することにより、開口絞り前後での正レンズの配置の対称性を高めている。これにより、第１正レンズの作用により過補正となった倍率色収差の少なくとも一部を、第２正レンズの作用により倍率色収差が低減する方向にキャンセルすることが可能となる。
【００１９】
さらに、前述した、第１正レンズ、開口絞り、第２正レンズを、無限遠から近距離物体への合焦に際して移動する第２レンズ群内に配置している。これにより、第２レンズ群内で軸上色収差および倍率色収差を低減することができるため、合焦に際しての色収差変動を低減することができる。
【００２０】
第１正レンズ及び第２正レンズは、より具体的には、第１正レンズの材料の異常部分分散性をΔθｇＦ１、第２正レンズの材料の異常部分分散性をΔθｇＦ２とするときに、下記の条件式（１）、（２）を満たす。
０．００５０＜ΔθｇＦ１＜０．４０                ・・・（１）
０．００５０＜ΔθｇＦ２＜０．４０                ・・・（２）
【００２１】
条件式（１）、（２）における、材料の異常部分分散性ΔθｇＦ１、ΔθｇＦ２の定義について説明する。ｇ線（４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとする。このとき、材料のアッベ数νｄ、部分分散比θｇＦ、異常部分分散性ΔθｇＦは以下の式（ａ）〜（ｃ）で表される。
νｄ＝（Ｎｄ−１）／（ＮＦ−ＮＣ）            ・・・（ａ）
θｇＦ＝（Ｎｇ−ＮＦ）／（ＮＦ−ＮＣ）        ・・・（ｂ）
ΔθｇＦ＝θｇＦ−（−１．６６５×１０−７×νｄ３＋５．２１３×１０−５×νｄ２−５．６５６×１０−３×νｄ＋７．２７８×１０−１）  ・・・（ｃ）
【００２２】
条件式（１）の下限値を下回って第１正レンズの異常部分分散性が低くなると、軸上色収差の補正が不十分になるため好ましくない。条件式（１）の上限値を上回って第１正レンズの異常部分分散性が高くなると、倍率色収差が過補正の度合いが大きくなり、第２正レンズを用いても倍率色収差の過補正を十分にキャンセルできなくなる。これにより、全系として倍率色収差が過補正となるので好ましくない。
【００２３】
条件式（２）の下限値を下回って第２正レンズの異常部分分散性が低くなると、第１正レンズによって過補正となった倍率色収差を十分にキャンセルできなくなる。これにより、全系として倍率色収差が過補正となるので好ましくない。条件式（２）の上限値を上回って異常部分分散性が高くなると、第１正レンズにより過補正となった倍率色収差を過補正分よりも多く補正しすぎて、全系として倍率色収差の補正が不十分になるため好ましくない。
【００２４】
このように、前述のレンズ群の構成と、条件式（１）、（２）を満足することにより、本発明の光学系において、全物体距離にわたり、色収差をはじめとする諸収差を良好に補正した高い光学性能を有することができる。
【００２５】
なお、条件式（１）、（２）の数値範囲を以下のようにすることが好ましい。
０．００５０＜ΔθｇＦ１＜０．１００                    ・・・（１ａ）
０．００５０＜ΔθｇＦ２＜０．１５０                    ・・・（２ａ）
【００２６】
さらに、条件式（１）、（２）の数値範囲を以下のようにすることが好ましい。
０．００６０＜ΔθｇＦ１＜０．０１０                    ・・・（１ｂ）
０．０３００＜ΔθｇＦ２＜０．１００                    ・・・（２ｂ）
【００２７】
さらに、光学系が、第２レンズ群よりも像側に配置された、正または負の屈折力の第３レンズ群を有していてもよい。例えば、当該第３レンズ群を合焦に際して不動とした場合、第２レンズ群を軽量化でき、迅速なフォーカシングが可能となる。
【００２８】
さらに、第３レンズ群は、正の屈折力を有することが好ましい。これにより、像面ＩＰに対する入射角度を小さくすることが可能となり、像面ＩＰに配置された撮像素子の光線の入射特性に関わらず良好な撮像結果を得ることが可能となる。
【００２９】
さらに、光学系が、以下の条件式のうち１以上を満足することが好ましい。
０．５０＜ＤＬ１／ＤＬ２＜３．００                      ・・・（３）
１．８０＜ｎｄ１＜２．４０                              ・・・（４）
−５．００＜ｈ１＾／ｈ２＾＜−０．５０                  ・・・（５）
−２０．００＜（ｈ１×ｈ１＾／νｄ１／ｆｐ１×ΔθｇＦ１）／
（ｈ２×ｈ２＾／νｄ２／ｆｐ２×ΔθｇＦ２）＜−０．１０
・・・（６）
０．００＜νｄ１＜３０．０                              ・・・（７）
０．００＜νｄ２＜３０．０                              ・・・（８）
０．００＜ＤＬ１／ｆ＜１．００                          ・・・（９）
０．００＜ＤＬ２／ｆ＜１．００                          ・・・（１０）
０．００＜ＤＬ１／Ｄ２＜０．８０                        ・・・（１１）
０．００＜ＤＬ２／Ｄ２＜０．８０                        ・・・（１２）
０．５０＜ｆｐ１／ｆ２＜５．００                        ・・・（１３）
０．５０＜ｆｐ２／ｆ２＜１０．０                        ・・・（１４）
１．５０＜ｆ１／ｆ＜４５．０                            ・・・（１５）
０．５０＜ｆ２／ｆ＜１．５０                            ・・・（１６）
２．００＜｜ｆ３｜／ｆ＜３５．０                        ・・・（１７）
０．５０＜Ｆｎｏ＜２．５０                              ・・・（１８）
【００３０】
第１正レンズの像側のレンズ面と開口絞りとの光軸上の距離をＤＬ１、第２正レンズの物体側のレンズ面と開口絞りとの光軸上の距離をＤＬ２とする。第１正レンズの材料のｄ線における屈折率をｎｄ１とする。
【００３１】
第１正レンズにおいて瞳近軸光線が通過するときの高さをｈ１＾、第２正レンズにおいて瞳近軸光線が通過するときの高さをｈ２＾とする。なお、瞳近軸光線とは、光学系全系の焦点距離を１に正規化したとき光軸に対して−４５°の角度で入射する光線の内、光学系の入射瞳と光軸との交点を通過する近軸光線である。なお、光学系の入射角度は、光軸から測って時計回りを正、反時計回りを負とする。また、物体は光学系の左側にあるものとし、物体側から光学系に入射する光線は左側から右側へ進むものとする。
【００３２】
第１正レンズにおいて近軸軸上光線が通過するときの高さをｈ１、第２正レンズにおいて近軸軸上光線が通過するときの高さをｈ２とする。なお、近軸軸上光線とは、光学系全系の焦点距離を１に正規化したとき、光学系の光軸と平行に入射する光軸からの高さが１の近軸光線である。
【００３３】
第１正レンズの材料のアッベ数をνｄ１、第２正レンズの材料のアッベ数をνｄ２とする。第１正レンズの焦点距離をｆｐ１、第２正レンズの焦点距離をｆｐ２とする。光学系の焦点距離をｆ、第１レンズ群の焦点距離をｆ１、第２レンズ群の焦点距離をｆ２とする。また、第２レンズ群よりも像側に正または負の屈折力の第３レンズ群が配置されている場合、当該第３レンズ群の焦点距離をｆ３とする。第２レンズ群の最も物体側のレンズ面から最も像側のレンズ面までの光軸上の距離をＤ２とする。光学系の開口比（Ｆナンバー）をＦｎｏとする。
【００３４】
条件式（３）は、開口絞りに対する、第１正レンズと第２正レンズの配置の対称性を示す式である。条件式（３）の値が１の場合は、異常部分分散性を有する材料が開口絞りを挟んで対称的に配置された状態を示す。条件式（３）の上限値を上回った場合および下限値を下回った場合、軸上色収差と倍率色収差の補正のバランスが崩れ、少なくとも一方の補正が不十分になるため好ましくない。
【００３５】
条件式（４）は、全系のペッツバール和を大きくしすぎずに色収差を補正するための第１正レンズの屈折率の範囲を規定している。条件式（４）の下限値を下回って第１正レンズの屈折率が小さくなると、全系のペッツバール和が大きくなり、像面湾曲が悪化するため好ましくない。条件式（４）の上限値を上回る材料を得ることは困難である。
【００３６】
条件式（５）は、瞳近軸光線、すなわち軸外光線の主光線の通過高さの対称性を表す式である。条件式（５）の上限値を上回る、または下限値を下回ると、軸上色収差と倍率色収差の補正のバランスが崩れ、いずれか一方が悪化するため好ましくない。
【００３７】
条件式（６）は第１正レンズにおけるｇ線の倍率色収差補正効果と第２正レンズにおけるｇ線の倍率色収差補正効果との比を規定している。条件式（６）の下限値を下回って、第１正レンズによる倍率色収差の補正効果が大きくなると、第１正レンズによって過補正となった倍率色収差を第２正レンズで十分にキャンセルすることが困難になるため好ましくない。条件式（６）の上限値を上回って、第１正レンズによる倍率色収差の補正効果が小さくなると、全系として倍率色収差の補正が不十分となり好ましくない。また、軸上色収差の補正が困難になるため好ましくない。
【００３８】
条件式（７）は第１正レンズのアッベ数、条件式（８）は第２正レンズのアッベ数を規定している。条件式（７）、（８）の下限値を下回ると、一般に選択可能な材料の屈折率が低くなり、光学系が大型化するため好ましくない。条件式（７）、（８）の上限値を上回ると、一般に選択可能な材料の屈折率は高くなる。そのため、全系のパッツバール和が増大し、像面湾曲が悪化するため好ましくない。
【００３９】
条件式（９）は第１正レンズの配置、条件式（１０）は第２正レンズの配置を規定している。条件式（９）、（１０）の下限値を下回る光学系を得ることは困難である。条件式（９）、（１０）の上限値を上回って第１正レンズや第２正レンズが開口絞りから離れて配置されると、第２レンズ群の全長が長くなり、ひいては光学系の全系が大型化するため好ましくない。
【００４０】
条件式（１１）は第２レンズ群における第１正レンズの配置、条件式（１２）は第２レンズ群における第２正レンズの配置を規定している。条件式（１１）、（１２）を満たすことにより、第１正レンズおよび第２正レンズの色収差補正の効果をバランス良く得ることができる。条件式（１１）、（１２）の下限値を下回る光学系を得ることは困難である。条件式（１１）、（１２）の上限値を上回ると、色収差補正効果のバランスが崩れ、軸上色収差及び倍率色収差の少なくともいずれかが悪化するため好ましくない。
【００４１】
条件式（１３）は第１正レンズの屈折力を規定している。条件式（１３）の下限値を下回って第１正レンズの焦点距離が短くなり、屈折力が強くなると、光学系におけるペッツバール和が増大して像面湾曲の補正が困難になるため好ましくない。条件式（１４）の上限値を上回って第１正レンズの焦点距離が長くなり、屈折力が小さくなると、軸上色収差補正を十分に補正することが困難になるため好ましくない。
【００４２】
条件式（１４）は第２正レンズの屈折力を規定している。条件式（１４）の下限値を下回って第２正レンズの焦点距離が短くなり、屈折力が強くなると、光学系におけるペッツバール和が増大して像面湾曲の補正が困難になるため好ましくない。条件式（１４）の上限値を上回って第２正レンズの焦点距離が長くなり、屈折力が小さくなると、第１正レンズにより過補正となった倍率色収差を十分にキャンセルすることが困難となり、全系の倍率色収差が過補正となるため好ましくない。
【００４３】
条件式（１５）は、第１レンズ群の焦点距離と光学系の焦点距離の比を規定している。条件式（１５）の下限値を下回って第１レンズ群の焦点距離が短くなり、屈折力が強くなると、第２レンズ群よりも像側における屈折力が弱まる。これにより、第２レンズ群によるフォーカス敏感度が低くなり、無限遠から近距離物体までの合焦に際しての第２レンズ群の移動距離が長くなり、光学系が大型化するため好ましくない。さらに、第１レンズ群の屈折力が強いことで、色収差、球面収差、像面湾曲をはじめとする諸収差が悪化するため好ましくない。条件式（１５）の上限値を上回って第１レンズ群の焦点距離が長くなり、屈折力が弱くなると、第２レンズ群の径が大型化し光学系全系が大型化するため好ましくない。
【００４４】
条件式（１６）は、第２レンズ群の焦点距離と光学系の焦点距離の比を規定している。条件式（１６）の上限を上回って第２レンズ群の焦点距離が長くなり、屈折力が弱くなると、フォーカス敏感度が低くなる。これにより、無限遠から近距離物体までの合焦に際しての第２レンズ群の移動量が大きくなり、光学系が大型化するため好ましくない。条件式（１６）の下限を下回って第２レンズ群の焦点距離が短くなり、屈折力が強くなると、合焦に際しての収差変動が大きくなるため好ましくない。
【００４５】
条件式（１７）は、第２レンズ群の像側に第３レンズ群が配置されている場合の第３レンズ群の焦点距離の絶対値と光学系の焦点距離の比を規定している。条件式（１７）の下限を下回って第３レンズ群の焦点距離の絶対値が小さくなり、第３レンズ群の屈折力が強くなると、像面湾曲が悪化するため好ましくない。または、当該悪化する像面湾曲をはじめとする諸収差を良好に補正するために、第３レンズ群に配置するレンズの枚数が増え、第３レンズ群が大型化し、光学系が大型化するため好ましくない。条件式（１７）の上限値を上回って第３レンズ群の焦点距離の絶対値が大きくなり、第３レンズ群の屈折力が弱くなると第２レンズ群の屈折力が強くなり第２レンズ群が大型化するため好ましくない。
【００４６】
条件式（１８）は光学系のＦナンバーを規定している。条件式（１８）の下限値を下まわる光学系を得ることは困難である。条件式（１８）の上限値を上回ると、本発明の課題が生じにくくなり、効果を得づらくなる。
【００４７】
条件式（３）〜（１８）の少なくとも１つを満たすことで、本発明の光学系は、全物体距離にわたり色収差をより良好に補正しつつ高い光学性能を得ることができる。
【００４８】
好ましくは、条件式（３）〜（１８）の数値範囲を下記のように設定するとよい。
１．００＜ＤＬ１／ＤＬ２＜２．５０                  ・・・（３ａ）
１．８２＜ｎｄ１＜２．１０                          ・・・（４ａ）
−４．００＜ｈ１＾／ｈ２＾＜−１．００              ・・・（５ａ）
−１５．０＜（ｈ１×ｈ１＾／νｄ１／ｆｐ１×ΔθｇＦ１）／
（ｈ２×ｈ２＾／νｄ２／ｆｐ２×ΔθｇＦ２）＜−０．１０
・・・（６ａ）
１０．０＜νｄ１＜２８．０                          ・・・（７ａ）
１０．０＜νｄ２＜２８．０                          ・・・（８ａ）
０．１０＜ＤＬ１／ｆ＜０．８０                      ・・・（９ａ）
０．１０＜ＤＬ２／ｆ＜０．５０                      ・・・（１０ａ）
０．２０＜ＤＬ１／Ｄ２＜０．７０                    ・・・（１１ａ）
０．１０＜ＤＬ２／Ｄ２＜０．６０                    ・・・（１２ａ）
０．７０＜ｆｐ１／ｆ２＜４．００                    ・・・（１３ａ）
１．００＜ｆｐ２／ｆ２＜７．００                    ・・・（１４ａ）
２．００＜ｆ１／ｆ＜４０．０                        ・・・（１５ａ）
０．７０＜ｆ２／ｆ＜１．３０                        ・・・（１６ａ）
３．００＜｜ｆ３｜／ｆ＜３０．０                    ・・・（１７ａ）
０．５０＜Ｆｎｏ＜２．００                          ・・・（１８ａ）
【００４９】
さらに好ましくは、条件式（３）〜（１８）の数値範囲を下記のように設定するとよい。
１．５０＜ＤＬ１／ＤＬ２＜２．３０                  ・・・（３ｂ）
１．８５＜ｎｄ１＜２．００                          ・・・（４ｂ）
−３．５０＜ｈ１＾／ｈ２＾＜−２．００              ・・・（５ｂ）
−１３．０＜（ｈ１×ｈ１＾／νｄ１／ｆｐ１×ΔθｇＦ１）／
（ｈ２×ｈ２＾／νｄ２／ｆｐ２×ΔθｇＦ２）＜−０．４０
・・・（６ｂ）
１５．０＜νｄ１＜２５．０                          ・・・（７ｂ）
１５．０＜νｄ２＜２５．０                          ・・・（８ｂ）
０．２０＜ＤＬ１／ｆ＜０．５０                      ・・・（９ｂ）
０．１０＜ＤＬ２／ｆ＜０．０３                      ・・・（１０ｂ）
０．３０＜ＤＬ１／Ｄ２＜０．６０                    ・・・（１１ｂ）
０．２０＜ＤＬ２／Ｄ２＜０．４０                    ・・・（１２ｂ）
１．００＜ｆｐ１／ｆ２＜２．５０                    ・・・（１３ｂ）
１．５０＜ｆｐ２／ｆ２＜６．００                    ・・・（１４ｂ）
２．４０＜ｆ１／ｆ＜３０．０                        ・・・（１５ｂ）
０．９０＜ｆ２／ｆ＜１．２０                        ・・・（１６ｂ）
４．００＜｜ｆ３｜／ｆ＜２５．０                    ・・・（１７ｂ）
１．００＜Ｆｎｏ＜１．５０                          ・・・（１８ｂ）
【００５０】
さらに、本発明の光学系は、第２レンズ群において少なくとも１枚の負レンズを有することが好ましい。これにより、色収差を補正しやすくなる。さらに軸上色収差を良好に補正するために、第２レンズ群が、正レンズ（第１正レンズ、第２正レンズ、または、その他の正レンズの少なくともいずれかを含む）および負レンズを接合した接合レンズを含むことが好ましい。
【００５１】
次に、本発明の実施例に係る光学系について説明する。なお、物体側から数えてｎ番目のレンズをＧｎと表記している。
【００５２】
［実施例１］
図１は実施例１の光学系ＯＬの断面図であり、図２（Ａ）は光学系ＯＬの無限遠合焦時の縦収差図であり、図２（Ｂ）は光学系ＯＬの最至近距離物体に合焦時の縦収差図である。実施例１の光学系ＯＬは、Ｆｎｏ１．２４、焦点距離８６．５ｍｍの大口径比の中望遠レンズである。
【００５３】
実施例１の光学系ＯＬを構成する複数のレンズ群は、物体側から像側へ順に配置された、正の屈折力の第１レンズ群Ｌ１、正の屈折力の第２レンズ群Ｌ２、正の屈折力の第３レンズ群Ｌ３からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００５４】
無限遠物体から近距離物体への合焦に際して、第２レンズ群Ｌ２が物体側に移動する。
【００５５】
正レンズＬｐ１は第２レンズ群Ｌ２中で最も物体側に配置されたレンズ（Ｇ３）であり、正レンズＬｐ２は第２レンズ群Ｌ２中で最も像側から２番目に配置されたレンズ（Ｇ９）である。
【００５６】
正レンズＬｐ１および正レンズＬｐ２を異常部分分散性の高い材料により構成することで、図２に示すように、全物体距離にわたり軸上色収差、倍率色収差をはじめとする諸収差を良好に補正された光学系を得ることができる。
【００５７】
［実施例２］
図３は実施例２の光学系ＯＬの断面図であり、図４（Ａ）は光学系ＯＬの無限遠合焦時の縦収差図であり、図４（Ｂ）は光学系ＯＬの最至近距離物体に合焦時の縦収差図である。実施例２の光学系ＯＬは、Ｆｎｏ１．２４、焦点距離７１．５ｍｍの大口径比の中望遠レンズである。
【００５８】
実施例２の光学系ＯＬを構成する複数のレンズ群は、物体側から像側へ順に配置された、正の屈折力の第１レンズ群Ｌ１、正の屈折力の第２レンズ群Ｌ２、正の屈折力の第３レンズ群Ｌ３からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００５９】
無限遠物体から近距離物体への合焦に際して、第２レンズ群Ｌ２が物体側に移動する。
【００６０】
正レンズＬｐ１は第２レンズ群Ｌ２中で最も物体側に配置されたレンズ（Ｇ４）であり、正レンズＬｐ２は第２レンズ群Ｌ２中で最も像側から２番目に配置されたレンズ（Ｇ１０）である。
【００６１】
正レンズＬｐ１および正レンズＬｐ２を異常部分分散性の高い材料により構成することで、図４に示すように、全物体距離にわたり軸上色収差、倍率色収差をはじめとする諸収差を良好に補正された光学系を得ることができる。
【００６２】
［実施例３］
図５は実施例３の光学系ＯＬの断面図であり、図６（Ａ）は光学系ＯＬの無限遠合焦時の縦収差図であり、図６（Ｂ）は光学系ＯＬの最至近距離物体に合焦時の縦収差図である。実施例３の光学系ＯＬは、Ｆｎｏ１．４１、焦点距離１３１．０ｍｍの大口径比の中望遠レンズである。
【００６３】
実施例３の光学系ＯＬを構成する複数のレンズ群は、物体側から像側へ順に配置された、正の屈折力の第１レンズ群Ｌ１、正の屈折力の第２レンズ群Ｌ２、負の屈折力の第３レンズ群Ｌ３からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００６４】
無限遠物体から近距離物体への合焦に際して、第２レンズ群Ｌ２が物体側に移動する。
【００６５】
正レンズＬｐ１は第２レンズ群Ｌ２中で最も物体側に配置されたレンズ（Ｇ３）であり、正レンズＬｐ２は第２レンズ群Ｌ２中で最も像側から２番目に配置されたレンズ（Ｇ９）である。
【００６６】
正レンズＬｐ１および正レンズＬｐ２を異常部分分散性の高い材料により構成することで、図６に示すように、全物体距離にわたり軸上色収差、倍率色収差をはじめとする諸収差を良好に補正された光学系を得ることができる。
【００６７】
［実施例４］
図７は実施例４の光学系ＯＬの断面図であり、図８（Ａ）は光学系ＯＬの無限遠合焦時の縦収差図であり、図８（Ｂ）は光学系ＯＬの最至近距離物体に合焦時の縦収差図である。実施例４の光学系ＯＬは、Ｆｎｏ１．４１、焦点距離１３１．０ｍｍの大口径比の中望遠レンズである。
【００６８】
実施例４の光学系ＯＬを構成する複数のレンズ群は、物体側から像側へ順に配置された、正の屈折力の第１レンズ群Ｌ１、正の屈折力の第２レンズ群Ｌ２、負の屈折力の第３レンズ群Ｌ３からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００６９】
無限遠物体から近距離物体への合焦に際して、第２レンズ群Ｌ２が物体側に移動する。
【００７０】
正レンズＬｐ１は第２レンズ群Ｌ２中で最も物体側に配置されたレンズ（Ｇ３）であり、正レンズＬｐ２は第２レンズ群Ｌ２中で最も像側に配置されたレンズ（Ｇ１０）である。
【００７１】
正レンズＬｐ１および正レンズＬｐ２を異常部分分散性の高い材料により構成することで、図８に示すように、全物体距離にわたり軸上色収差、倍率色収差をはじめとする諸収差を良好に補正された光学系を得ることができる。
【００７２】
［実施例５］
図９は実施例５の光学系ＯＬの断面図であり、図１０（Ａ）は光学系ＯＬの無限遠合焦時の縦収差図であり、図１０（Ｂ）は光学系ＯＬの最至近距離物体に合焦時の縦収差図である。実施例５の光学系ＯＬは、Ｆｎｏ１．２４、焦点距離８６．９ｍｍの大口径比の中望遠レンズである。
【００７３】
実施例５の光学系ＯＬを構成する複数のレンズ群は、物体側から像側へ順に配置された、正の屈折力の第１レンズ群Ｌ１、正の屈折力の第２レンズ群Ｌ２、負の屈折力の第３レンズ群Ｌ３からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００７４】
無限遠物体から近距離物体への合焦に際して、第２レンズ群Ｌ２が物体側に移動する。
【００７５】
正レンズＬｐ１は第２レンズ群Ｌ２中で最も物体側に配置されたレンズ（Ｇ３）であり、正レンズＬｐ２は第２レンズ群Ｌ２中で最も像側から２番目に配置されたレンズ（Ｇ９）である。
【００７６】
正レンズＬｐ１および正レンズＬｐ２を異常部分分散性の高い材料により構成することで、図１０に示すように、全物体距離にわたり軸上色収差、倍率色収差をはじめとする諸収差を良好に補正された光学系を得ることができる。
【００７７】
［実施例６］
図１１は実施例６の光学系ＯＬの断面図であり、図１２（Ａ）は光学系ＯＬの無限遠合焦時の縦収差図であり、図１２（Ｂ）は光学系ＯＬの最至近距離物体に合焦時の縦収差図である。実施例６の光学系ＯＬは、Ｆｎｏ１．２４、焦点距離８６．３ｍｍの大口径比の中望遠レンズである。
【００７８】
実施例６の光学系ＯＬを構成する複数のレンズ群は、物体側から像側へ順に配置された、正の屈折力の第１レンズ群Ｌ１、正の屈折力の第２レンズ群Ｌ２からなる。第２レンズ群Ｌ２は、物体側から像側へ順に配置された、第１正レンズとしての正レンズＬｐ１、開口絞りＳＰ、第２正レンズとしての正レンズＬｐ２を有する。
【００７９】
無限遠物体から近距離物体への合焦に際して、第２レンズ群Ｌ２が物体側に移動する。
【００８０】
正レンズＬｐ１は第２レンズ群Ｌ２中で最も物体側に配置されたレンズ（Ｇ３）であり、正レンズＬｐ２は第２レンズ群Ｌ２中の比較的像側に配置されたレンズ（Ｇ９）である。
【００８１】
正レンズＬｐ１および正レンズＬｐ２を異常部分分散性の高い材料により構成することで、図１２に示すように、全物体距離にわたり軸上色収差、倍率色収差をはじめとする諸収差を良好に補正された光学系を得ることができる。
【００８２】
［数値実施例］
以下に、実施例１〜６のそれぞれに対応する数値実施例１〜６を示す。また、数値実施例１〜６において、面番号は、物体側からの光学面の順序を示す。Ｒは光学面の曲率半径（ｍｍ）、面番号ｉにおけるｄは、第ｉ番目の光学面と第ｉ＋１番目の光学面の間隔（ｍｍ）、Ｎｄはｄ線における光学部材の材料の屈折率、ＢＦはバックフォーカスを示す。νｄはｄ線を基準とした光学部材の材料のアッベ数であり、定義は前述のとおりである。
【００８３】
また、光学面が非球面の場合は、面番号の右側に、＊の符号を付している。非球面形状は、ｘを光軸方向の面頂点からの変位量、ｈを光軸と垂直な方向の光軸からの高さ、Ｒを近軸曲率半径、Ｋを円錐定数、Ｂ、Ｃ、Ｄ、Ｅを各次数の非球面係数とするとき、
ｘ＝（ｈ２／Ｒ）／［１＋｛１−（１＋Ｋ）（ｈ／Ｒ）２｝１／２＋Ｂ×ｈ４＋Ｃ×ｈ６＋Ｄ×ｈ８＋Ｅ×ｈ１０
で表している。なお、各非球面係数における「Ｅ±ＸＸ」は「×１０±ＸＸ」を意味している。数値実施例１〜６のそれぞれにおける、前述の各条件式に用いられている物理量を［表１］に示し、前述の各条件式に対応する値を［表２］に示す。
【００８４】
［数値実施例１］
単位 ｍｍ
面番号        R         d         Nd       νd    光線有効径
1         71.655    15.57    1.61800     63.4     70.20
2       -149.456     3.00    1.72047     34.7     70.20
3        112.469    (可変)                        64.63
4         67.332     5.75    1.92286     20.9     61.52
5        141.236     0.30                         60.60
6         39.868    11.43    1.49700     81.5     55.00
7        200.860     6.51                         52.72
8*        75.484     2.50    1.85478     24.8     41.24
9         27.701    10.68                         35.16
10(開口絞り)   ∞       4.51                         33.10
11       -85.831     1.50    1.85478     24.8     31.67
12        33.313     9.50    1.88300     40.8     31.20
13       -68.563     2.28                         30.88
14       -48.430     1.70    1.54072     47.2     29.85
15        58.169     1.00    1.60401     20.8     34.00
16        77.751     6.95    1.95375     32.3     34.22
17       -77.751    (可変)                        35.40
18       204.839     7.00    1.95375     32.3     36.85
19       -48.060     2.20    1.62004     36.3     37.03
20        97.164     5.40                         36.40
21       -52.101     1.65    1.68893     31.1     36.44
22       237.864     0.15                         38.49
23        97.826     4.00    1.90043     37.4     39.55
24      -370.202    (可変)                        39.79
像面         ∞
非球面データ
円錐定数    4次の係数   6次の係数   8次の係数   10次の係数
K           B            C           D           E
第8面     0.0000E+00  -2.2875E-06  -2.1286E-10  2.6709E-13  0.0000E+00
各種データ
焦点距離     86.53
Fno         1.24
半画角（度）  14.04
像高       21.64
レンズ全長   134.49
BF        14.91
入射瞳位置   113.67
射出瞳位置   -38.04
前側主点位置   58.81
後側主点位置  -71.62
可変間隔
d3         14.36
d17          1.64
群データ
群         始面    焦点距離 レンズ構成長  前側主点位置  後側主点位置
1           1       452.25      18.57        -35.96       -43.85
2           4        93.07      64.61         33.60       -40.88
3           18      845.67      20.40        -30.01       -42.39
単レンズデータ
レンズ       始面    焦点距離
1           1       80.540
2           2      -88.650
3           4      134.410
4           6       97.780
5           8      -52.460
6           11     -27.910
7           12      26.550
8           14     -48.600
9           15     375.170
10          16      41.670
11          18      41.370
12          19     -51.560
13          21     -61.890
14          23      86.280
【００８５】
［数値実施例２］
単位 ｍｍ
面番号        R          d         Nd       νd    光線有効径
1       -1138.145     4.00    1.49700     81.5     68.00
2        -214.828     2.02                         67.31
3        -127.510     3.00    1.54814     45.8     67.18
4          55.168     0.36                         62.76
5          56.148    13.46    1.59349     67.0     62.82
6        -272.562   (可変)                         62.26
7          65.476     3.61    1.89286     20.4     59.02
8         101.465     0.15                         58.60
9          40.646    12.72    1.49700     81.5     56.02
10        425.820    10.53                         54.07
11*         67.059     2.50    1.85478     24.8     39.10
12         29.596     9.56                         34.55
13(開口絞り)      ∞       4.31                         33.30
14        -99.074     1.50    1.69895     30.1     32.37
15         30.811     8.02    1.80400     46.6     32.06
16        -79.612     1.80                         31.85
17        -51.867     1.70    1.71736     29.5     31.30
18         40.919     1.50    1.60401     20.8     33.72
19         59.136     6.79    1.95375     32.3     34.00
20        -59.136    (可変)                        34.80
21         95.420     6.88    1.88300     40.8     37.39
22        -51.595     2.20    1.56732     42.8     37.38
23         58.097     7.40                         35.92
24        -42.217     1.65    1.58144     40.8     35.97
25      -2529.799     0.15                         38.21
26        105.125     3.00    2.00100     29.1     39.55
27        696.276    (可変)                        39.70
像面         ∞
非球面データ
円錐定数    4次の係数    6次の係数     8次の係数  10次の係数
K            B            C            D           E
第11面     0.0000E+00 -3.5252E-06  -1.7616E-09   6.4515E-13   0.0000E+00
各種データ
焦点距離      71.50
Fno          1.24
半画角（度）   16.84
像高        21.64
レンズ全長    136.26
BF         13.49
入射瞳位置     87.71
射出瞳位置    -36.75
前側主点位置    57.46
後側主点位置   -58.01
可変間隔
d6         10.95
d20          3.02
群データ
群         始面    焦点距離 レンズ構成長  前側主点位置  後側主点位置
1           1      2010.25    22.84         56.60         42.26
2           7        83.50    64.69         34.86        -43.11
3           21      918.02    21.28        -79.01        -87.16
単レンズデータ
レンズ       始面    焦点距離
1           1       532.06
2           3       -69.85
3           5        79.66
4           7       197.42
5           9        89.43
6           11      -63.94
7           14      -33.47
8           15       28.55
9           17      -31.64
10          18      213.30
11          19       31.90
12          21       38.78
13          22      -47.82
14          24      -73.86
15          26      123.38
【００８６】
［数値実施例３］
単位 ｍｍ
面番号        R         d         Nd       νd    光線有効径
1         93.730    19.68    1.59282     68.6     92.64
2       -282.917     3.80    1.80610     33.3     91.12
3        291.338    (可変)                        87.70
4         94.864     4.99    1.92286     18.9     76.92
5        172.469     0.18                         76.27
6         48.867    14.40    1.49700     81.5     68.99
7        260.068     8.36                         66.53
8*       106.172     3.00    1.85478     24.8     51.60
9         33.463    19.71                         43.58
10(開口絞り)     ∞       3.95                         38.61
11      -177.170     2.00    1.69895     30.1     37.34
12        32.258    11.56    1.72916     54.7     36.01
13       -79.189     1.90                         35.29
14       -53.982     2.00    1.71700     47.9     34.56
15        52.584     1.00    1.60401     20.8     33.94
16        67.339     8.13    1.91082     35.3     33.92
17       -65.641    (可変)                        35.15
18     13043.336     8.21     1.6968     55.5     36.64
19       -43.123     2.30     1.48749    70.2     37.00
20       157.620     6.80                         36.77
21       -47.693     2.50     1.48749    70.2     36.90
22        38.707     8.63     1.64000    60.1     40.68
23      -250.661    (可変)                        41.00
像面         ∞
非球面データ
円錐定数     4次の係数    6次の係数    8次の係数    10次の係数
K             B            C            D            E
第8面      0.0000E+00  -1.0341E-06  -1.0439E-11   3.6372E-14   0.0000E+00
各種データ
焦点距離     131.00
Fno          1.41
半画角（度）    9.38
像高        21.64
レンズ全長    182.28
BF         13.66
入射瞳位置    203.13
射出瞳位置    -50.86
前側主点位置    68.15
後側主点位置  -117.34
可変間隔
d3         28.21
d17          7.30
群データ
群         始面    焦点距離 レンズ構成長  前側主点位置  後側主点位置
1           1       321.34    23.48       -15.87        -28.92
2           4       134.24    81.19        56.44        -40.97
3          18      -599.31    28.44        10.99         -9.49
単レンズデータ
レンズ       始面    焦点距離
1           1       121.12
2           2      -177.53
3           4       221.61
4           6       118.39
5           8       -58.27
6           11      -38.89
7           12       32.87
8           14      -36.86
9           15      387.43
10          16       37.59
11          18       61.70
12          19      -69.20
13          21      -43.42
14          22       53.01
【００８７】
［数値実施例４］
単位 ｍｍ
面番号        R         d         Nd       νd    光線有効径
1         96.747    19.45    1.59282     68.6     92.64
2       -266.533     3.80    1.80610     33.3     91.19
3        279.509    (可変)                        87.82
4         89.897     6.34    1.89286     20.4     78.00
5        198.679     0.15                         77.27
6         49.365    13.93    1.49700     81.5     69.10
7        233.752     7.96                         66.62
8*       132.469     3.00    1.85478     24.8     52.99
9         34.502    24.74                         44.60
10(開口絞り)     ∞       2.60                         37.65
11       374.702     2.00    1.72825     28.5     36.37
12        30.787    10.05    1.72916     54.7     34.45
13      -103.672     1.51                         33.48
14       -74.493     2.00    1.72047     34.7     32.64
15        34.769     7.66    1.76182     26.5     30.95
16      -154.919     2.43                         31.95
17       -95.585     3.50    1.80810     22.8     32.68
18       -63.407    (可変)                        33.66
19      -623.111     4.93    1.88300     40.8     35.40
20       -50.035     2.30    1.48749     70.2     35.68
21       164.745     6.85                         35.62
22       -50.699     2.50    1.72825     28.5     35.85
23        49.073     6.43    2.00100     29.1     39.48
24      -315.413   (可変)                         39.78
像面         ∞
非球面データ
円錐定数    4次の係数   6次の係数    8次の係数    10次の係数
K            B           C           D             E
第8面    0.0000E+00  -7.4725E-07  1.0692E-10  -2.8576E-15    0. 0000E+00
各種データ
焦点距離    131.00
Fno         1.41
半画角（度）   9.38
像高       21.64
レンズ全長   182.28
BF        13.87
入射瞳位置   229.03
射出瞳位置   -43.24
前側主点位置   59.55
後側主点位置 -117.13
可変間隔
d3         28.90
d18          5.39
群データ
群         始面    焦点距離 レンズ構成長  前側主点位置  後側主点位置
1           1       363.42    23.25         -18.57       -31.31
2           4       137.20    87.86          50.90       -53.87
3          19      -587.65    23.01          16.18        0.130
単レンズデータ
レンズ       始面    焦点距離
1           1       122.17
2           2      -168.73
3           4       178.97
4           6       122.84
5           8       -55.36
6           11      -46.17
7           12       33.61
8           14      -32.65
9           15       37.94
10          17      222.28
11          19       61.36
12          20      -78.45
13          22      -33.88
14          23       42.80
【００８８】
［数値実施例５］
単位 ｍｍ
面番号        R         d         Nd       νd    光線有効径
1         65.713    16.54    1.59349     67.0     70.09
2       -153.487     0.28                         68.97
3       -148.684     3.00    1.65412     39.7     68.76
4         94.660     (可変)                       63.67
5         60.504     4.82    1.92286     20.9     60.04
6        103.550     0.35                         59.28
7         38.788    12.08    1.49700     81.5     54.44
8        244.919     5.13                         52.03
9*        65.338     2.50    1.85478     24.8     41.34
10        26.734    10.91                         35.07
11(開口絞り)     ∞       4.36                         33.00
12       -93.907     1.60    1.80518     25.4     31.56
13        32.496    10.41    1.88300     40.8     30.88
14       -69.585     1.18                         30.21
15       -59.713     1.60    1.72047     34.7     29.49
16        44.503     1.00    1.60401     20.8     33.10
17        54.706     8.83    2.00100     29.1     33.38
18       -81.260    (可変)                        34.99
19      1158.100     8.55    2.00100     29.1     36.22
20       -39.531     1.80    1.63980     34.5     36.75
21       294.896     3.97                         36.30
22       -53.221     1.90    1.80518     25.4     36.30
23        86.786     0.15                         38.50
24        65.251     4.46    2.00100     29.1     39.67
25     -5158.427    (可変)                        39.83
像面         ∞
非球面データ
円錐定数     4次の係数    6次の係数   8次の係数    10次の係数
K             B            C           D             E
第9面      0.0000E+00  -2.8833E-06  -9.0240E-10  5.9797E-13    0.0000E+00
各種データ    広角端
焦点距離     86.86
Fno         1.24
半画角（度）  13.99
像高       21.64
レンズ全長   136.62
BF        14.46
入射瞳位置   115.14
射出瞳位置   -35.87
前側主点位置   52.10
後側主点位置  -72.40
可変間隔
d4         14.73
d18          2.00
群データ
群         始面    焦点距離 レンズ構成長  前側主点位置  後側主点位置
1           1       410.89     19.82        -38.19       -46.36
2           5        87.60     64.78         34.10       -37.84
3          19     -1797.45     20.83         78.12        62.53
単レンズデータ
レンズ       始面    焦点距離
1           1        79.77
2           3       -87.99
3           5       149.67
4           7        90.96
5           9       -54.57
6           12      -29.81
7           13       26.35
8           15      -35.17
9           16      381.00
10          17       33.76
11          19       38.32
12          20      -54.37
13          22      -40.73
14          24       64.40
【００８９】
［数値実施例６］
単位 ｍｍ
面番号        R         d         Nd        νd    光線有効径
1         60.505    16.34     1.59349     67.0     69.63
2       -207.421     3.00     1.65412     39.7     68.40
3         88.310     (可変)                        62.99
4         53.957     5.13     1.92286     20.9     58.68
5         90.164     0.15                          57.79
6         37.089    10.81     1.49700     81.5     52.73
7        138.376     2.90                          50.31
8*        55.191     2.50     1.85478     24.8     42.85
9         25.251    14.24                          35.86
10(開口絞り)     ∞       5.20                          32.09
11       -57.334     1.60     1.85478     24.8     30.34
12        32.390    11.51     1.88300     40.8     30.15
13       -44.678     1.69                          30.55
14       -36.154     1.60     1.59551     39.2     31.01
15        57.737     1.00     1.60401     20.8     36.36
16        72.799     8.84     2.00100     29.1     36.63
17       -95.211     1.00                          38.42
18       174.149     9.63     2.00100     29.1     39.97
19       -51.870     1.80     1.68893     31.1     40.27
20        45.435     0.50                          39.49
21        41.529     4.75     1.85135     40.1     40.20
22*        68.796    (可変)                         39.60
像面         ∞
非球面データ
円錐定数     4次の係数    6次の係数    8次の係数    10次の係数
K            B           C            D             E
第8面      0.0000E+00  -2.0271E-06  -6.9347E-10   3.1021E-13   0.0000E+00
第22面     0.0000E+00   1.3060E-06   3.1589E-10   1.5276E-12   0.0000E+00
各種データ    広角端
焦点距離     86.29
Fno         1.24
ω        14.08
像高       21.64
レンズ全長   136.97
BF        20.00
入射瞳位置   116.01
射出瞳位置   -38.35
前側主点位置   74.70
後側主点位置  -66.28
可変間隔
d3         12.79
d22         20.00
群データ
群         始面    焦点距離 レンズ構成長  前側主点位置  後側主点位置
1           1       331.96     19.34        -30.69       -39.14
2           4        81.59     84.83         47.72       -40.38
単レンズデータ
レンズ       始面    焦点距離
1           1        80.76
2           2       -94.31
3           4       136.33
4           6        98.46
5           8       -56.63
6           11      -24.02
7           12       22.87
8           14      -37.10
9           15      450.73
10          16       42.33
11          18       40.80
12          19      -34.89
13          21      113.96
【００９０】
【表１】
2020008628.tif 000003
【００９１】
【表２】
2020008628.tif 000004
【００９２】
［撮像装置］
次に、撮像装置の実施例について図１３を用いて説明する。図１３は、撮像装置１０の構成を示す図である。撮像装置１０は、カメラ本体１３と、上述した実施例１乃至６のいずれかの光学系ＯＬを含むレンズ装置１１と、光学系ＯＬによって形成される像を光電変換する受光素子（撮像素子）１２を備える。受光素子１２としては、ＣＣＤセンサやＣＭＯＳセンサ等の撮像素子を用いることができる。レンズ装置１１とカメラ本体１３は一体に構成されていても良いし、着脱可能に構成されていても良い。本実施例の撮像装置１０は、全物体距離にわたって色収差を良好に補正しつつ高い光学性能を得ることができる。
【００９３】
なお、本発明の撮像装置１０は、図１３に示したデジタルスチルカメラに限らず、放送用カメラ、銀塩フィルム用カメラ、監視用カメラ等の種々の撮像装置に適用することができる。
【００９４】
以上、本発明の好ましい実施例について説明したが、本発明はこれらの実施形態及び実施例に限定されず、その要旨の範囲内で種々の組合せ、変形及び変更が可能である。例えば、光学系において、一部のレンズを光軸に対して直交方向の成分を含む方向に移動することにより、像ブレ補正を行ってもよい。
【符号の説明】
【００９５】
Ｌ１  第１レンズ群
Ｌ２  第２レンズ群
Ｌｐ１  正レンズ（第１正レンズ）
Ｌｐ２  正レンズ（第２正レンズ）
ＳＰ  開口絞り
ＯＬ  光学系
【図１】
2020008628.tif 000005
【図２】
2020008628.tif 000006
【図３】
2020008628.tif 000007
【図４】
2020008628.tif 000008
【図５】
2020008628.tif 000009
【図６】
2020008628.tif 000010
【図７】
2020008628.tif 000011
【図８】
2020008628.tif 000012
【図９】
2020008628.tif 000013
【図１０】
2020008628.tif 000014
【図１１】
2020008628.tif 000015
【図１２】
2020008628.tif 000016
【図１３】
2020008628.tif 000017